(57)【要約】【課題】「逆打ち」、「すべり打ち」、「二度打ち」などと称される不具合を生じないインパクトレンチを提供することを目的としている。【解決手段】軸受け部と、回転ハンマー支持体との摩擦抵抗値が、回転ハンマー支持体がドライバの回転に伴って供回りし、打撃による反発力が加わったときに、供回りが解除される摩擦抵抗値に調整されているとともに、ハンマーの逆回転方向の打撃部に対応する受撃部が、定常使用状態での打撃後に、逆回転方向の打撃部が到達する最大リバウンド位置より逆回転方向側に位置するようにアンビルに形成されている構成とした。【選択図】      図２
2005262396.tif 000002
【特許請求の範囲】
【請求項１】
カム溝がその周面の一部に凹設された略円盤状をしたカム溝形成部と、カム溝形成部の一方の面から突設された軸受け部とを有し、軸受け部の中心周りに回転するドライバと、
同一軸線上にそれぞれ軸支部が設けられた対面する２つのハンマー受け部を有し、２つのハンマー受け部の間にカム溝形成部が配置されるとともに、一方にハンマー受け部にドライバの軸受け部が回転自在に装着される軸受け孔が設けられた回転ハンマー支持体と、
２つのハンマー受け部の軸支部にその両端部が支持される軸部、この軸部の中心軸を中心にして対称形状に張り出す２つの打撃部、および、前記カム溝に遊嵌され、ドライバのカム溝壁面によって設定回転方向の力を受け、正回転方向の打撃部を前記軸部を中心にして起き上がる方向に揺動させるカム溝遊嵌部を有するハンマーとを備え、
モータの回転に伴ってドライバが回転し、このドライバの回転に伴ってハンマーおよび回転ハンマー支持体が回転し、ハンマーの回転によって、正回転方向の打撃部がアンビルの周面に突出するように設けられた対応する受撃部を打撃するインパクトレンチにおいて、
前記軸受け部と、回転ハンマー支持体との摩擦抵抗値が、回転ハンマー支持体がドライバの回転に伴って供回りし、打撃による反発力が加わったときに、供回りが解除される摩擦抵抗値に調整されているとともに、
ハンマーの逆回転方向の打撃部に対応する受撃部が、定常使用状態での打撃後に、逆回転方向の打撃部が到達する最大リバウンド位置より逆回転方向側に位置するようにアンビルに形成されていることを特徴とするインパクトレンチ。
【請求項２】
カム溝がその周面の一部に凹設された略円盤状をしたカム溝形成部と、カム溝形成部の一方の面から突設された軸受け部とを有し、軸受け部の中心周りに回転するドライバと、
同一軸線上にそれぞれ軸支部が設けられた対面する２つのハンマー受け部を有し、２つのハンマー受け部の間にカム溝形成部が配置されるとともに、一方にハンマー受け部にドライバの軸受け部が回転自在に装着される軸受け孔が設けられた回転ハンマー支持体と、
２つのハンマー受け部の軸支部にその両端部が支持される軸部、この軸部の中心軸を中心にして対称形状に張り出す２つの打撃部、および、前記カム溝に遊嵌され、ドライバのカム溝壁面によって設定回転方向の力を受け、正回転方向の打撃部を前記軸部を中心にして起き上がる方向に揺動させるカム溝遊嵌部を有するハンマーとを備え、
モータの回転に伴ってドライバが回転し、このドライバの回転に伴ってハンマーおよび回転ハンマー支持体が回転し、ハンマーの回転によって、正回転方向の打撃部がアンビルの周面に突出するように設けられた対応する受撃部を打撃するインパクトレンチにおいて、
前記ハンマーの正回転方向の打撃部が一旦打撃姿勢になると、この打撃部が対応する受撃部を打撃するまで、打撃姿勢を保持するとともに、打撃により一旦保持が解除されて打撃部を非打撃姿勢状態に保持するハンマーの姿勢保持手段を有し、
ハンマーの逆回転方向の打撃部に対応する受撃部が、定常使用状態での打撃後に、逆回転方向の打撃部が到達する最大リバウンド位置より逆回転方向側に位置するようにアンビルに形成されていることを特徴とするインパクトレンチ。
【発明の詳細な説明】
【技術分野】
【０００１】
本発明は、ボルトやナット等のねじの締め付け作業および緩め作業を行う場合に使用するインパクトレンチに関する。
【背景技術】
【０００２】
図１０に示すように、従来のインパクトレンチ１００は、カム溝１１１がその周面の一部に凹設された略円盤状をしたカム溝形成部１１２と、カム溝形成部１１２の一方の面から突設された軸受け部（図示せず）とを有し、軸受け部の中心周りに回転するドライバ１１０と、同一軸線上にそれぞれ軸支部が設けられた対面する２つのハンマー受け部１２１を有し、２つのハンマー受け部１２１（図１０では片側しかあらわれていない）の間にカム溝形成部１１２が配置されるとともに、一方のハンマー受け部１２１にドライバ１１０の軸受け部が回転自在に装着される軸受け孔（図示せず）が設けられた回転ハンマー支持体１２０と、２つのハンマー受け部１２１の軸支部にその両端部が支持される軸部１３１、この軸部１３１の中心軸を中心にして対称形状に張り出す２つの打撃部１３２，１３３、および、前記カム溝１１１に遊嵌され、ドライバのカム溝壁面によって設定回転方向の力を受け、正回転方向の打撃部１３２（１３３）を前記軸部１３１を中心にして起き上がる方向に揺動させるカム溝遊嵌部１３４を有するハンマー１３０とを備えている。そして、モータ（図示せず）の回転に伴ってドライバ１１０が回転し、このドライバ１１０の回転に伴ってハンマー１３０および回転ハンマー支持体１２０が回転し、ハンマー１３０の回転によって、正回転方向の打撃部１３２（１３３）がアンビル１４０の周面に突出するように設けられた対応する受撃部１４１（１４２）を打撃してアンビル１４０を打撃方向に回転させ、アンビル１４０の回転によってアンビル１４０の先端に装着したソケット（図示せず）等を回転させてボルトやナット等のねじを締めたり緩めたりできるようになっている（たとえば、特許文献１参照）。
【０００３】
このインパクトレンチ１００の動作を説明すると、ハンマー１３０の打撃部１３２（１３３）がアンビル１４０の受撃部１４１（１４２）を打撃すると、アンビル１４０がその打撃方向に回転するのに対して、ハンマー１３０は、一旦リバウンドによって、回転ハンマー支持体１２０とともに打撃方向（以下、「正回転方向」と記す）に対して逆方向に回転する。しかしながら、ドライバ１１０にはモータによって設定回転方向、つまり正回転方向への回転力が加わっているので、ある程度逆方向に回転すると、ドライバ１１０の回転力によって逆回転方向への回転が抑えられ、ハンマー１３０および回転ハンマー支持体１２０は、再び、ドライバ１１０とともに正回転方向に回転を始める。また、ハンマー１３０のカム溝遊嵌部１３４がカム溝形成部１１２のカム溝１１１に遊嵌されているので、上記のリバウンドするときに、正回転方向への回転力が加えられているドライバ１１０のカム溝１１１の内壁面によって、カム溝遊嵌部１３４がハンマー１３０の軸部１３１の中心よりもアンビル１４０に近い箇所を正回転方向に押される。したがって、軸部１３１を中心にして打撃部１３２、１３３が揺動し、正回転方向側の打撃部１３２（１３３）がアンビルから遠ざかった状態、すなわち、起き上がった状態になる。そして、この状態を保ったまま、正回転方向に回転を始め、正回転方向側の打撃部１３２（１３３）が受撃部１４１（１４２）のところまで回転を続ける。受撃部１４１（１４２）のところまで回転してきたハンマーは、正回転方向側の打撃部１３２（１３３）が起き上がって非打撃姿勢状態になっているので、受撃部１４１（１４２）を備える突出部１４４ａ（１４４ｂ）をスムーズに乗り越える。そして、さらに回転を続けて、逆回転方向の打撃部１３３（１３２）が突出部１４４b（１４４ａ）のところを通過するときにその突出部１４４ｂ（１４４ａ）によってアンビル１４０から遠ざかる方向に押され、正回転方向側の打撃部１３２（１３３）がアンビル１４０に近づいた姿勢、すなわち打撃姿勢となるように軸部１３１を中心に揺動する。そして、正回転方向の打撃部１３２（１３３）がドライバ１１０の作用によって起き上がる前に十分に加速された状態で受撃部１４１（１４２）を打撃し、アンビル１４０を再び打撃方向に回転させるようになっている。
【０００４】
しかし、上記のようなインパクトレンチの場合、ドライバ１１０のカム溝１１１の内壁面及びハンマー１３０のカム溝遊嵌部１３４の磨耗度合い並びにそれらの間の潤滑度合い、ボルトやナット等の被打撃物の締まり具合、モータの回転力、モータの慣性質量と回転ハンマー支持体及びハンマーの合計慣性質量との比率などのファクターによって、ハンマー１３０の打撃姿勢の取り具合、起き上がり具合が変動する。
そして、このハンマー１３０の打撃姿勢の取り具合、起き上がり具合の変動によって、以下に述べる「逆打ち」、「すべり打ち」、「二度打ち」などと称される不具合を生じる場合がある。
【０００５】
因みに、「逆打ち」は、図１１（ａ）に示すように、ハンマー１３０の打撃部１３２が受撃部１４１を打撃したのち、ハンマー１３０が図１１（ｂ）に示すように正回転方向とは逆方向にリバウンドするのであるが、図１１（ｃ）に示すように、アンビル１４０の逆回転方向の受撃部１４２がハンマー１３０のリバウンドによって容易に到達できるような近い位置に設けられているため、ハンマーの逆回転方向の打撃部１３３がアンビル１４０の逆回転方向の受撃部１４２を打撃してしまう現象をいう。そして、この「逆打ち」が発生すると、アンビル１４０に逆回転方向の力が働いてしまい、ボルトやナット等に対しても目的とする回転方向と逆方向の力が働き、ボルトやナット等の着脱作業が阻害される。また、リバウンドが終了して再び正回転方向に回転し始めたハンマーは、打撃部１３２が起き上がり、受撃部１４１を打撃することなく、突出部１４４ａ，１４４ｂを乗り越えて加速しながらさらに回転する。そして、突出部１４４ｂを乗り越えるときに、逆回転方向の打撃部１３３が、突出部１４４ｂによって押し上げられ、この押し上げによって正回転方向の打撃部１３２が打撃姿勢となり、受撃部１４１を再び打撃するのであるが、「逆打ち」によってリバウンド距離が不十分となるため、結果として助走距離が不十分となる。したがって、十分な打撃力を与えることができない。
【０００６】
「すべり打ち」は、図１２（ａ）に示すように、ハンマー１３０の回転速度の不足などの場合に生じやすい。つまり、ハンマー１３０の逆回転方向の打撃部１３３（１３２）がアンビル１４０の突出部１４４ｂ（１４４ａ）によってアンビルから遠ざかり、正回転方向の打撃部１３２（１３３）が打撃姿勢となったのち、打撃部１３２（１３３）が受撃部１４１（１４２）を打撃するまでに、カム溝遊嵌部１３４がドライバ１１０のカム溝１１１の内壁面に押されるため、打撃部１３２（１３３）がアンビル１４０から遠ざかる方向に起き上がり、ハンマー１３０の打撃部１３２（１３３）がアンビル１４０の受撃部１４１（１４２）のコーナー部を打撃する現象を「すべり打ち」という。この「すべり打ち」が生じると、アンビル１４０対して十分な打撃力を伝えることができないとともに、ハンマー１３０の打撃部１３２（１３３）やアンビル１４０の受撃部１４１が早期に磨耗してしまう問題が生じる。また、この「すべり打ち」が生じると、図１２（ｂ）に示すように、ハンマー１３０がほとんどリバウンドせず、そのまま正回転方向に回転する。なお、「すべり打ち」は、リバウンドして正回転方向に移った直後に打撃するときと、１周した後に打撃するときのいずれにも発生する恐れがある。
「二度打ち」は、比較的大きなリバウンドが発生した後、正回転方向に移って、打撃部１３２（１３３）が打撃姿勢をとった後、受撃部１４１（１４２）のところに達するまでにあまり起き上がらず、十分に回転速度がない状態で直前に打撃した受撃部１４１（１４２）を乗り越えることができずに再び打撃する現象をいう。すなわち、「二度打ち」が発生すると、十分な打撃力が得られない。
【０００７】
また、図１３に示すように、受撃部２２１、２２２が設けられた受撃部形成用突出部２２０と、打撃姿勢形成用突出部２３０とをアンビル２１０に別個に設けたインパクトレンチ２００が既に提案されている（たとえば、特許文献２参照）。
このインパクトレンチ２００は、逆回転方向の受撃部２２１（２２２）がハンマー２４０のリバウンド方向には十分に離れた位置に形成されているので、後述する定常使用状態ではハンマー２４０がリバウンドしても、ハンマー２４０の逆回転方向の打撃部２４１（２４２）が逆回転方向の受撃部２２１（２２２）に当たることがない。したがって、「逆打ち」の問題がないが、リバウンドするときに、逆回転方向の打撃部２４１（２４２）が打撃姿勢形成用突出部２３０を擦りながらリバウンドするので、リバウンド距離が短くなってしまう。したがって、ハンマーが十分な助走距離が得られず、結果としてハンマーの打撃力が弱いものになってしまう。また、「すべり打ち」や「二度打ち」の問題も解消できない。
【０００８】
【特許文献１】実公昭５７−１０９２号公報
【特許文献２】実開昭６１−１１７６７３号公報
【発明の開示】
【発明が解決しようとする課題】
【０００９】
本発明は、上記事情に鑑みて、「逆打ち」、「すべり打ち」、「二度打ち」などと称される不具合を生じないインパクトレンチを提供することを目的としている。
【課題を解決するための手段】
【００１０】
上記目的を達成するために、本発明にかかるインパクトレンチは、カム溝がその周面の一部に凹設された略円盤状をしたカム溝形成部と、カム溝形成部の一方の面から突設された軸受け部とを有し、軸受け部の中心周りに回転するドライバと、
同一軸線上にそれぞれ軸支部が設けられた対面する２つのハンマー受け部を有し、２つのハンマー受け部の間にカム溝形成部が配置されるとともに、一方のハンマー受け部にドライバの軸受け部が回転自在に装着される軸受け孔が設けられた回転ハンマー支持体と、
２つのハンマー受け部の軸支部にその両端部が支持される軸部、この軸部の中心軸を中心にして対称形状に張り出す２つの打撃部、および、前記カム溝に遊嵌され、ドライバのカム溝壁面によって設定回転方向の力を受け、正回転方向の打撃部を前記軸部を中心にして起き上がる方向に揺動させるカム溝遊嵌部を有するハンマーとを備え、
モータの回転に伴ってドライバが回転し、このドライバの回転に伴ってハンマーおよび回転ハンマー支持体が回転し、ハンマーの回転によって、正回転方向の打撃部がアンビルの周面に突出するように設けられた対応する受撃部を打撃するインパクトレンチにおいて、
前記軸受け部と、回転ハンマー支持体との摩擦抵抗値が、回転ハンマー支持体がドライバの回転に伴って供回りし、打撃による反発力が加わったときに、供回りが解除される摩擦抵抗値に調整されているとともに、
ハンマーの逆回転方向の打撃部に対応する受撃部が、定常使用状態での打撃後に、逆回転方向の打撃部が到達する最大リバウンド位置より逆回転方向側に位置するようにアンビルに形成されている構成、
または、前記ハンマーの正回転方向の打撃部が一旦打撃姿勢になると、この打撃部が対応する受撃部を打撃するまで、打撃姿勢を保持するとともに、打撃により一旦保持が解除されて打撃部を非打撃姿勢状態に保持するハンマーの姿勢保持手段を有し、
ハンマーの逆回転方向の打撃部に対応する受撃部が、定常使用状態での打撃後に、逆回転方向の打撃部が到達する最大リバウンド位置より逆回転方向側に位置するようにアンビルに形成されている構成とした。
【００１１】
本発明において、ハンマーとしては、たとえば、軸部と、２つの打撃部と、カム溝遊嵌部とが一体に形成されたもの（以下、「軸部一体型ハンマー」と記す）、軸部となる軸ピンと、２つの打撃部およびカム溝遊嵌部が一体形成されたハンマー本体とを有し、ハンマー本体が軸ピンをハンマー本体に設けられた軸ピン挿通孔に挿通されることによって、ハンマー本体の打撃部が軸ピンを中心にして揺動自在となったもの（以下、「軸部別体型ハンマー」と記す）等が挙げられる。
軸受け部と、回転ハンマー支持体との回転方向の摩擦抵抗値を調整する方法としては、特に限定されないが、たとえば、軸受け部の周面と、この周面への回転ハンマー支持体の接触面との間に摩擦抵抗調整材を介在させる方法が挙げられる。
【００１２】
摩擦抵抗調整材としては、Ｏリング、一般ゴム部材、摩擦繊維基材としての金属繊維・耐熱有機繊維・カーボンファイバーやガラス繊維等の無機繊維をゴム・樹脂等の結合材に混合して得たモールド品、焼結金属系摩擦材料等が挙げられる。
また、ハンマーの姿勢保持手段は、特に限定されないが、たとえば、軸部一体型ハンマーにおいては、軸部とこの軸部を軸支する回転ハンマー支持体の軸支部との間に上記のような摩擦抵抗調整材を介在させる方法、軸部別体型ハンマーにおいては、軸ピンと軸ピン挿通孔及びハンマー受け部の軸支孔との間に上記のような摩擦抵抗調整材を介在させる方法、軸部一体型ハンマー、軸部別体型ハンマーに関わらず、ハンマー受け部と、ハンマーのハンマー受け部とに対抗する面との間に摩擦抵抗調整材を介在させる方法、一方の打撃部が打撃姿勢になったとき、ハンマーまたはハンマー本体を係止し、打撃姿勢を保持し、打撃によってリバウンドする場合およびハンマーがアンビルの突出部を乗り越えるときに逆回転方向の打撃部が突出部によって押し上げられる場合および打撃によってリバウンドする場合に係止が解除される係止部材を設ける方法等を用いたものが挙げられる。
【００１３】
本発明において、定常使用状態とは、インパクトレンチの実用トルク範囲での使用状態をいい、たとえば、インパクトレンチの使用規格より大きいボルトやナットの締め込みや緩めに用いた場合などは非定常使用状態である。
本発明において、設定回転方向とは、インパクトレンチに設定された回転方向を指し、ねじの締め付け方向の場合と緩め方向の場合とがある。回転方向切替装置によって切り替えるまで同じ設定回転方向が維持される。また、正回転方向とは、設定回転方向と同じ回転方向を意味し、逆回転方向とは、設定回転方向に対して逆の回転方向を意味する。
本発明において、供回りとは、回転ハンマー支持体がドライバの回転に追従してドライバの回転方向に略同速度で回転することをいう。そして、供回りが解除されるとは、ドライバに対して相対的に逆方向に回転することを意味する。
【発明の効果】
【００１４】
本発明にかかるインパクトレンチは、以上のように構成されているので、「逆打ち」、「すべり打ち」、「二度打ち」などと称される不具合を生じることがない。また、ハンマーはアンビルを打撃した後、「逆打ち」することなく円滑なリバウンドを行い、その後、正回転方向の回転に移行して直前に打撃したアンビルの正回転方向の受撃部を備えた突出部を乗り越えて一周し、打撃すべき正回転方向の受撃部に向かって加速回転する。その場合に、妨げられずに生じた十分に大きなリバウンド距離も打撃の助走距離としてハンマーの加速に寄与するので、大きな速度でアンビルを打撃することができる。すなわち、大きな打撃力を発揮できる。
したがって、迅速かつ効率よくボルトやナット等のねじを締め込んだり緩めたりすることができる。
【発明を実施するための最良の形態】
【００１５】
以下に、本発明を、その実施の形態をあらわす図面を参照しつつ詳しく説明する。
図１〜図３は、本発明にかかるインパクトレンチの第１の実施の形態をあらわしている。
【００１６】
図１〜図３に示すように、このインパクトレンチＡは、ケーシング１と、エアモータ２と、ドライバ３と、ハンマー４ａと、回転ハンマー支持体５ａと、アンビル６とを備えている。
ケーシング１は、分割可能な前部カバー部１１と、後部カバー部１２とを備えている。
【００１７】
後部カバー部１２は、その内部にエアモータ２の本体部２１が内蔵されているとともに、操作ハンドル１３が一体に設けられている。
前部カバー部１１は、その内部にドライバ３、ハンマー４ａ、回転ハンマー支持体５ａ、および、アンビル６のアンビル胴６１が内蔵されている。
【００１８】
エアモータ２は、その回転軸２２の先端部が後部カバー部１２から前部カバー部１１側に突出するとともに、回転軸２２の先端にスプライン突条（キー）２２ａが周方向に形成されている。
【００１９】
ドライバ３は、カム溝３１ａがその周面の一部に凹設された略円盤状をしたカム溝形成部３１と、カム溝形成部３１の一方の面から突設された軸受け部３２とを有し、カム溝形成部３１および軸受け部３２を貫通するように、連結孔３３が穿設されている。
連結孔３３は、回転軸２２のスプライン突条２２ａがかみ合うスプライン溝３３ａが内面に形成されている。したがって、これらがかみ合うことでエアモータ２とドライバ３とは一体となって回転する。
【００２０】
ハンマー４ａは、軸部４１と、この軸部４１の中心軸を中心に対称形状に張り出す断面円弧形状に湾曲した２つの打撃部４２，４３と、軸部４１の中心軸に対し直交し、かつ、打撃部４２，４３の半径方向に突出するように設けられ、カム溝３１ａに遊嵌されるカム溝遊嵌部４４とを備えている。
軸部４１は、その両端部にリング状の溝４５が形成され、この溝４５に姿勢保持手段としてのゴムエラストマー製Ｏリング７ａが装着されている。
【００２１】
Ｏリング７ａは、軸部４１とともに後述する軸支部としての軸支孔５６ａまたは凹部５６ｂに嵌り込むことによって、ドライバ３のカム溝３１ａの壁面によるハンマー４ａのカム溝遊嵌部４４への押し力によって生じる軸部４１の回転力を超える回転力が軸部４１に加わらないと、軸部４１が回転しないような摩擦抵抗を生じさせるようになっている。
【００２２】
回転ハンマー支持体５ａは、筒状本体部５１と、一方のハンマー受け部となる蓋５２とを備えている。
筒状本体部５１は、一方に開口５３を有し、他方の中央部にドライバ３の軸受け部３２が回転自在に嵌まり込む軸受け孔５４が穿設され、他方のハンマー受け部となる底部５５を備えた略有底筒状をしている。
【００２３】
底部５５は、軸部４１の一方の端部が回転自在に軸支される軸支部としての軸支孔５６ａが穿設されている。
軸受け孔５４の内面には、２つのリング状の溝５４ａが形成されていて、この溝５４ａに摩擦抵抗調整材となるゴムエラストマー製のＯリング７ｂがそれぞれ装着されている。
【００２４】
すなわち、Ｏリング７ｂは、ドライバ３の軸受け部３２が軸受け孔５４に嵌合されると、軸受け部３２の外周面に圧接され、その摩擦力によって平常のときに、ドライバ３の回転力を回転ハンマー支持体５ａに直接伝達して回転ハンマー支持体５ａをドライバ３に対して供回り状態にするとともに、ハンマー４ａを介して回転支持体５ａに打撃による反発力が加わったときに、回転ハンマー支持体５ａのドライバ３に対する供回りが解除される摩擦抵抗値に調整されている。
【００２５】
また、筒状本体部５１は、開口５３側の内縁に段状に切り欠かれて形成された蓋受け部５１ａを備えている。
蓋５２は、蓋受け部５１ａに受けられた状態に筒状本体部５１に嵌まり込み、筒状本体部５１と一体化されるようになっているとともに、その中央部にアンビル６の挿通孔５２ａが穿設され、軸部４１のもう一方の端部が回転自在に軸支される軸支部としての凹部５６ｂを備えている。
【００２６】
アンビル６は、一端にアンビル胴６１を有し、他端にソケット嵌合部６２を備えている。
アンビル胴６１には、略円柱状をした胴本体６１ａの半径方向外側に突出するように２つの突出部６４ａ、６４ｂが設けられている。また、胴本体６１ａは、その壁面の突出部６４ａ，６４ｂに隣接する部分に半径方向に凹んでいる凹部６１ｂ，６１ｂを備えている。
【００２７】
突出部６４ａは受撃部６５を、突出部６４ｂは受撃部６６をそれぞれ備えている。
受撃部６６（６５）は、定常使用状態での打撃後に、逆回転方向の打撃部４３（４２）が到達する最大リバウンド位置より逆回転方向側に位置するように設けられている。
【００２８】
そして、ドライバ３、ハンマー４ａ、回転ハンマー支持体５ａおよびアンビル６は、以下のようにして組み立てられるようになっている。すなわち、まず、ドライバ３の軸受け部３２を、筒状本体部５１の内側から軸受け孔５４に嵌合させ、カム溝形成部３１を筒状本体部５１の内側に配置されるようにする。つぎに、ハンマー４ａをカム溝遊嵌部４４がドライバ３のカム溝３１ａ内に臨ませた状態で、その軸部４１の一端部を軸支孔５６ａに嵌合させる。そして、蓋５２の凹部５６ｂに軸部４１の他端部が嵌合するとともに、蓋受け部５１ａに受けられるように、蓋５２を筒状本体部５１に嵌め込む。筒状本体部５１に蓋５２を嵌め込んだのちに、最後に挿通孔５２ａを通してアンビル６のアンビル胴６１を回転ハンマー支持体５ａ内に挿入する。
【００２９】
つぎに、このインパクトレンチＡの作用効果について、図４を参照しつつ説明する。
すなわち、このインパクトレンチＡは、アンビル６の受撃部６６（６５）が、定常使用状態でのハンマー４ａによる打撃後に、逆回転方向の打撃部４３（４２）が到達する最大リバウンド位置より逆回転方向側に位置するように設けられているので、定常使用状態では、図４（ａ）に示すように、正回転方向（矢印方向）の打撃部４２（４３）が受撃部６５（６６）を打撃した後、図４（ｂ）に示すように、ハンマー４ａが逆回転方向にリバウンドしても、ハンマー４ａの逆回転方向の打撃部４３（４２）が逆回転方向の受撃部６６（６５）に当たることがない。すなわち、「逆打ち」することがない。
【００３０】
また、Ｏリング７ａが設けられているので、カム溝３１ａの壁面によるカム溝遊嵌部４４への押し力によって軸部４１に加わる回転力を超える回転力が軸部４１に加わらない限り、Ｏリング７ａによって生じる摩擦抵抗により、軸部４１が回転しない、すなわち、打撃部４２，４３が揺動しないようになっている。
この内容を図４（ｂ）を参照しながら詳細に説明する。ハンマー４ａの正回転方向の打撃部４２が打撃の反発力を受けてリバウンドする。一方、このときドライバ３にはエアモータ２によって正回転方向の力が加わっているので、カム溝遊嵌部４４がカム溝３１ａの壁面によって正回転方向（設定回転方向）へ押される。したがって、リバウンドするときに打撃の反発力と、ドライバ３のカム溝３１ａの壁面がカム溝遊嵌部４４を正回転方向に押す力との複合力によって、正回転方向の打撃部４２が起き上がった状態になり、アンビル６の中心から遠ざかった非打撃姿勢となって、この非打撃姿勢が維持される。
【００３１】
そして、リバウンドが完了し、図４（ｃ）に示すように、ハンマー４ａが再び正回転方向に回転し始めても、打撃部４２（４３）の非打撃姿勢が保たれ、受撃部６５（６６）のところまで回転を続ける。したがって、打撃部４２（４３）が受撃部６５（６６）に当たることがない。すなわち、「二度打ち」や「すべり打ち」を防止することができる。
【００３２】
一方、受撃部６５のところに達したハンマー４ａは、図４（ｄ）に示すように、突出部６４ａおよび突出部６４ｂを乗り越えて、加速しながら正回転方向に回転を続ける。この突出部６４ａおよび突出部６４ｂを乗り越えるときに、突出部６４ａおよび突出部６４ｂによって逆回転方向側の打撃部４３（４２）をアンビル６の中心から遠ざかるように持ち上げられ、軸部４１にＯリング７ａによる摩擦抵抗を越える力が加わり、ハンマー４ａが軸部４１を中心にして揺動する。すなわち、打撃部４２（４３）が打撃姿勢を取るまで揺動する。
そして、正回転方向側の打撃部４２（４３）が打撃姿勢となったハンマー４ａは、Ｏリング７ａの摩擦抵抗によってそのまま姿勢を保った状態で、図４（ａ）に示すように、再び受撃部６５（６６）の所まで回転し、確実に受撃部６５（６６）を打撃する。したがって、「すべり打ち」が発生することがない。
【００３３】
また、Ｏリング７ｂは、次に述べるような作用がある。すなわち、逆回転方向側の打撃部４３（４２）が突出部６４ａおよび突出部６４ｂによって持ち上げられて正回転方向側の打撃部４２（４３）が、図４（ｄ）に示すように打撃姿勢となるときには、ハンマー４ａのカム溝遊嵌部４４は、カム溝３１ａの壁面に対してドライバ３を逆回転方向に押し返すような力を加える。その力によってＯリング７ｂの摩擦抵抗に打ち勝ち、供回りが解除され、ドライバ３は回転ハンマー支持体５ａに対して遅れ位相角度αまで回転する。そして、Ｏリング７ｂの摩擦抵抗力によってドライバ３は、図４（ａ）に示すように、打撃部４２（４３）が受撃部６５（６６）を打撃するまで遅れ位相角度αになった状態に維持される。なお、このとき、この実施形態のインパクトレンチＡでは、正回転方向側の打撃部４２（４３）がアンビル６の胴本体６１ａに略当接した状態になっているが、少し浮き上がった非接触状態になっていても構わない。
ここで図４（ｄ）について説明すると、ハンマー４ａの正回転方向側の打撃部４２（４３）が打撃姿勢になった後は、前述したようにドライバ３が遅れ位相角度αになっているので、カム溝遊嵌部４４に対してカム溝３１ａの壁面が押し力を加えることができず、より確実にその打撃姿勢を保った状態で起き上がることなく、受撃部６５（６６）のところまで回転し、受撃部６５（６６）を打撃する。したがって、「すべり打ち」が発生することがない。
【００３４】
また、Ｏリング７ｂによって、回転ハンマー支持体５ａがドライバ３の回転に伴って供回りし、打撃による反発力が加わったときに、供回りが解除される摩擦抵抗値に調整されている。そのため、図４（ｂ）に示すように、打撃後においては、ハンマー４ａが反発力によって逆方向に回転すると同時に回転ハンマー支持体５ａは、ハンマー４ａの軸部４１を軸支しているので、ハンマー４ａから回転ハンマー支持体５ａに反発力が伝わりリバウンドする。
回転ハンマー支持体５ａは、Ｏリング７ｂの摩擦抵抗に打ち勝って供回りが解除されドライバ３に対して位相が遅れる。つまり、ドライバ３は回転ハンマー支持体５ａに対して進み位相角度βまで回転し、カム溝３１ａの壁面がハンマー４ａのカム溝遊嵌部４４を押すことでハンマー４ａは起き上がる。すなわち、ドライバ３が回転ハンマー支持体５ａに対して進み位相角度βになったときには、カム溝３１ａの壁面がカム溝遊嵌部４４を押すことになり、ハンマー４ａを起き上がらせる。そして、ハンマー４ａの正回転方向の打撃部４２は起き上がった状態を維持されるので、正回転方向に回転し始めても、「二度打ち」や「すべり打ち」を確実に防止できる。なお、この実施形態では、ドライバ３が回転ハンマー支持体に対して進み位相角度βになったとき、ハンマー４ａの逆回転方向の打撃部４３（４２）は、アンビル６の胴本体６１ａに略当接状態となるが、少し浮き上がった非接触状態となっても構わない。
【００３５】
すなわち、このインパクトレンチＡによれば、リバウンド終了後、「二度打ち」や「すべり打ち」をすることがない。また、ハンマー４ａが突出部６４ａ，６４ｂを乗り越え、正回転方向の打撃部４２（４３）が打撃姿勢を付与されてその打撃姿勢のまま加速され続け、長い加速距離の間に回転速度を高め、強い打撃力でアンビル６の受撃部６５（６６）を打撃することができる。したがって、迅速かつ効率よくボルトやナット等のねじを締め込んだり緩めたりすることができる。
なお、Ｏリング７ａは、上記のように軸部４１の両端部に装着しなくても、軸部の一端部に１つだけ装着するようにしてもよいし、軸支孔の内壁面にＯリング装着溝を形成し、ＯリングをこのＯリング装着溝に嵌め込むことによって軸支孔側に装着しても構わない。
Ｏリング７ｂは、１つだけでも構わないし、上記のように軸受け孔５４の内面に沿って装着するのに代えて、軸受け部３２側に装着しても構わない。
【００３６】
図５および図６は、本発明にかかるインパクトレンチの第２の実施の形態をあらわしている。
図５に示すように、このインパクトレンチＢは、ケーシング１と、エアモータ２と、ドライバ３と、ハンマー４ｂと、回転ハンマー支持体５ｂと、アンビル６とを備えている。
【００３７】
回転ハンマー支持体５ｂは、図６に示すように、２つのハンマー受け部５７，５８が対面状態で半円筒形をした連結部５９を介して一体化されている。そして、一方のハンマー受け部５７が軸受け孔５７ａと、軸支部としての軸支孔５７ｂとを有し、もう一方のハンマー受け部５８がアンビル６の挿通孔５８ａと、軸支孔５７ｂに対して同一軸線上にある軸支部としての軸支孔５８ｂとを備えている。また、
ハンマー４ｂは、ハンマー本体４６と、軸部となる軸ピン４７とを備えている。
【００３８】
ハンマー本体４６は、図示していないが、上記インパクトレンチＡのハンマー４ａと同様の打撃部４２，４３とカム溝遊嵌部４４とを備えるとともに、軸ピン挿通孔４６ａが穿設されている。
軸ピン４７は、両端部の軸支孔５７ｂ，５８ｂに嵌まり込む部分にそれぞれ１条のＯリング装着溝４７ｂ，４７ｂが形成され、軸ピン挿通孔４６ａへの挿入部に２条のＯリング装着溝４７ａ，４７ａが形成され、姿勢保持手段となるＯリング７ｃ，７ｄがそれぞれ装着されている。
【００３９】
そして、ドライバ３と、ハンマー４ｂと、回転ハンマー支持体５ｂとは、上記インパクトレンチＡと同様に、２つのハンマー受け部５７，５８の間にカム溝形成部３１が配置されるように、ドライバ３の軸受け部３２をハンマー受け部５７の軸受け孔５７ａに嵌合させたのち、ハンマー本体４６のカム溝遊嵌部４４がドライバ３のカム溝３１ａに入り込むとともに、軸ピン挿通孔４６ａを軸支孔５７ｂ，５８ｂの軸線に一致させた状態に保持する。つぎに、軸ピン４７を一方のハンマー受け部５７（５８）の軸支孔５７ｂ（５８ｂ）から軸ピン挿通孔４６ａを通って他方のハンマー受け部５８（５７）の軸支孔５８ｂ（５７ｂ）に向けて差し込み、両端部のＯリング７ｃが軸支孔５７ｂ，５８ｂの内壁面に圧接し、Ｏリング７ｄが軸ピン挿通孔４６ａの内壁面に圧接した状態にすることによって組み立てられる。
【００４０】
すなわち、Ｏリング７ｃは、その摩擦抵抗によって、軸ピン４７の軸を中心にした回転を防止できる摩擦抵抗値に調整されている。
また、Ｏリング７ｄは、リバウンドするときに打撃の反発力と、ドライバ３のカム溝３１ａの壁面がカム溝遊嵌部４４を正回転方向に押す力との複合力がハンマー４ｂに加わる場合、および、ハンマー４ｂが突出部６４ａ，６４ｂを乗り越えるときに、逆回転方向の打撃部４３（４２）が突出部６４ａ，６４ｂによってアンビル６の中心から遠ざかるように持ち上げられたりするような力が加わる場合のいずれかの場合以外は、ハンマー本体４６が軸ピン４７回りに揺動しないような摩擦抵抗値に調整されている。
【００４１】
さらに、このインパクトレンチＢは、回転ハンマー支持体５ｂの軸受け孔５７ａには、Ｏリングが設けられておらず、ドライバ３の軸受け部３２が軸受け孔５７ａに回転自在に嵌め込まれており、その他の構成は、上記インパクトレンチＡと同様になっている。
【００４２】
このインパクトレンチＢは、以上のようになっているので、リバウンドするときに打撃の反発力と、ドライバ３のカム溝３１ａの壁面がカム溝遊嵌部４４を正回転方向に押す力との複合力によって、ハンマー本体４６の正回転方向の打撃部４２（４３）が起き上がって非打撃姿勢になる。そして、リバウンドが終了し、再びハンマー４ｂが正回転方向に回転し始めても、Ｏリング７ｃ，７ｄの摩擦抵抗によって、ハンマー本体４６の正回転方向の打撃部４２（４３）が非打撃姿勢を保ち、受撃部６５（６６）のところまで回転してくる。したがって、打撃部が受撃部６５を「二度打ち」したり、「すべり打ち」をしたりすることがない。
【００４３】
そして、ハンマー４ｂはさらに加速を続けながら、突出部６４ａ，６４ｂを乗り越えるのであるが、上記インパクトレンチＡと同様に、ハンマー４ｂが突出部６４ａ，６４ｂを乗り越えるときに、逆回転方向の打撃部４３（４２）が突出部６４ａ，６４ｂによってアンビル６の中心から遠ざかるように持ち上げられ、ハンマー本体４６が揺動して正回転方向側の打撃部４２（４３）が打撃姿勢となる。
【００４４】
上記のように正回転方向側の打撃部４２（４３）が打撃姿勢になったハンマー４ｂには、以下に述べるようにしてエアモータ２からの回転力が伝わり、回転ハンマー支持体５ｂといっしょに回転する。すなわち、ドライバ３はエアモータ２と一体に回転するので、カム溝３１ａの壁面がハンマー４ｂのハンマー本体４６のカム溝遊嵌部４４を正回転方向に押す。ハンマー本体４６は軸ピン４７を介して回転ハンマー支持体５ｂの軸支孔５７ｂ，５８ｂを押す。したがって、ハンマー４ｂと回転ハンマー支持体５ｂとが一体となって回転する。このとき、Ｏリング７ｃ，７ｄの摩擦抵抗によって、ハンマー４ｂは、正回転方向側の打撃部４２（４３）の打撃姿勢を保持した状態でさらに加速を続けながら回転し、受撃部６５（６６）を打撃する。
勿論、上記インパクトレンチＡと同様に、アンビル６の受撃部６６（６５）が、定常使用状態でのハンマ−４ｂによる打撃後に、逆回転方向の打撃部４３（４２）が到達する最大リバウンド位置より逆回転方向側に位置するように設けられているので、定常使用状態では、ハンマー４ｂが逆回転方向にリバウンドしても、ハンマー４ｂの逆回転方向の打撃部４３（４２）が逆回転方向の受撃部６６（６５）に当たることがない。すなわち、「逆打ち」することがない。
したがって、このインパクトレンチＢも上記インパクトレンチＡと同様に、迅速かつ効率よくボルトやナット等のねじを締め込んだり緩めたりすることができる。
なお、Ｏリング７ｃ，７ｄは１つずつでも構わない。また、軸ピン４７側でなく軸ピン挿通孔４６ａや軸支孔５７ｂ，５８ｂ側に装着してもよい。
【００４５】
図７は、本発明にかかるインパクトレンチの第３の実施の形態をあらわしている。
図７に示すように、このインパクトレンチＣは、ハンマー４ｃのハンマー本体４６'が、軸ピン挿通孔４６ａの軸方向の両端面に軸ピン挿通孔４６ａの周囲を囲むようにＯリング装着溝４６ｃが形成され、このＯリング装着溝４６ｃに姿勢保持手段としてのＯリング７ｅが装着されているとともに、軸部となる軸ピン４７'にＯリング７ｃ，７ｄが装着されていない以外は、上記インパクトレンチＢと同様になっている。
【００４６】
すなわち、このインパクトレンチＣは、Ｏリング７ｅがハンマー受け部５７，５８の軸支孔５７ｂ，５８ｂ周りの壁面に圧接され、Ｏリング７ｅの摩擦抵抗によって、リバウンドするときに打撃の反発力と、ドライバ３のカム溝３１ａの壁面がカム溝遊嵌部４４を正回転方向に押す力との複合力がハンマー４ｃに加わる場合、および、ハンマー４ｃが突出部６４ａ，６４ｂを乗り越えるときに、逆回転方向の打撃部４３（４２）が突出部６４ａ，６４ｂによってアンビル６の中心から遠ざかるように持ち上げられたりするような力が加わる場合のいずれかの場合以外は、ハンマー本体４６'が軸ピン４７'回りに揺動しないようになっている。
したがって、上記インパクトレンチＢと同様に、リバウンド後に正回転方向の打撃部４２（４３）が非打撃姿勢になると、Ｏリング７ｅの摩擦抵抗によって打撃部４２（４３）が非打撃姿勢の状態に保たれ、ハンマー４ｃが突出部６４ａ，６４ｂを乗り越えると、正回転方向の打撃部４２（４３）が打撃姿勢となりＯリング７ｅの摩擦抵抗によってその打撃姿勢が保たれるようになっている。
【００４７】
このインパクトレンチＣは、以上のようになっており、上記インパクトレンチＢと同様の作用効果を備えているとともに、回転ハンマー支持体５ｂとハンマー本体４６'とをＯリング７ｅを介して直接接するような構造とすることによって、軸ピン４７'の装着が容易となり、結果として組立作業が容易になる。
なお、Ｏリング７ｅは１つでも構わないし、ハンマー受け部５７，５８側に取り付けてもよい。
【００４８】
図８および図９は、本発明にかかるインパクトレンチの第４の実施の形態をあらわしている。
図８および図９に示すように、このインパクトレンチＤは、ハンマー４ｄのハンマー本体４０が、ハンマー４ｃのＯリング７ｅに代えて両打撃部４２，４３のアンビル６側（ドライバ３に対して反対側）の端面に姿勢保持手段の一部を構成する皿もみ穴４０ａが対称に１つずつ設けられているとともに、回転ハンマー支持体５ｃのアンビル６側のハンマー受け部５８'に姿勢保持手段の残部を構成する係止部材８が二箇所に設けられている以外は、上記インパクトレンチＣと同様になっている。
【００４９】
係止部材８は、ノックスプリング（コイルスプリング）８１と、このノックスプリング８１の一端にかしめ等によって固定されたスチールボール８２とを備え、ハンマー受け部５８'に穿設されたきり穴８３にノックスプリング８１側を先端にして挿入され、ノックスプリング８１によってスチールボール８２が常にハンマー本体の打撃部４２（４３）の側面に圧接状態となるように付勢されている。
そして、このインパクトレンチＤは、ハンマー本体４０が軸ピン４７'を中心にして揺動し、一方の打撃部４２（４３）が打撃姿勢を取ると、打撃姿勢を取った打撃部４２（４３）の皿もみ穴４０ａに対応する係止部材８のスチールボール８２が嵌まり込み、スチールボール８２がハンマー本体４０を揺動しないように係止してその姿勢を保持するとともに、他方の打撃部４３（４２）側の係止部材８のスチールボール８２が、図９に示すように、対応する皿もみ穴４０ａへの係止を解除され、皿もみ穴４０ａからずれた位置で打撃部４３（４２）の壁面に圧接された状態になるようになっている。
【００５０】
すなわち、このインパクトレンチＤは、以上のようになっており、まず、正回転方向の打撃部４２（４３）において係止部材８のスチールボール８２が皿もみ穴４０ａに嵌まり込み、打撃部４２，４３が揺動しない状態にして打撃姿勢を保持した状態で、受撃部６５（６６）を打撃する。そして、打撃に続いてリバウンドするときに打撃の反発力と、エアモータ２の回転力によってドライバ３のカム溝３１ａの壁面が正回転方向に押す力との複合力によって、正回転方向の打撃部４２（４３）の皿もみ穴４０ａへの係止部材８のスチールボール８２による係止が解除され、正回転方向の打撃部４２（４３）が非打撃姿勢になるまで起き上がる。そして、起き上がると同時に、逆回転方向の打撃部４３（４２）の皿もみ穴４０ａに他方の係止部材８のスチールボール８２が嵌まり込み、ハンマー本体４０が揺動しないように係止され、正回転方向の打撃部４２（４３）が非打撃姿勢に保持される。
【００５１】
したがって、リバウンドが終了し、再びハンマー４ｄが正回転方向に回転し始めても、ハンマー本体４０の正回転方向の打撃部４２（４３）が非打撃姿勢を保ち、受撃部６５（６６）のところまで回転してくる。したがって、打撃部４２（４３）が受撃部６５（６６）を「二度打ち」したり、「すべり打ち」をしたりすることがない。
そして、ハンマー４ｄはさらに加速を続けながら、突出部６４ａ，６４ｂを乗り越えるのであるが、上記インパクトレンチＡ〜Ｃと同様に、ハンマー４ｄが突出部６４ａ，６４ｂを乗り越えるときに、逆回転方向の打撃部４３（４２）が突出部６４ａ，６４ｂによってアンビル６の中心から遠ざかるように持ち上げられ、その力によって逆回転方向の打撃部４３（４２）の皿もみ穴４０ａへのスチールボール８２による係止が解除され、ハンマー本体４０が揺動し、正回転方向側の打撃部４２（４３）が打撃姿勢となると同時に、正回転方向の打撃部４２（４３）の皿もみ穴４０ａへスチールボール８２が再び嵌まり込み、正回転方向の打撃部４２（４３）が打撃姿勢に保持される。
【００５２】
上記のように正回転方向側の打撃部４２（４３）が打撃姿勢になったハンマー４ｄは、係止部材８による係止によって正回転方向側の打撃部４２（４３）を打撃姿勢に保持した状態でさらに加速を続けながら回転し、受撃部６５（６６）を打撃する。
したがって、このインパクトレンチＤも上記インパクトレンチＡ〜Ｃと同様に、迅速かつ効率よくボルトやナット等のねじを締め込んだり緩めたりすることができる。
なお、ノックスプリング８１に代えてゴムエラストマーなどの弾性体を用いるようにしても構わない。
【００５３】
本発明にかかるインパクトレンチは、上記の実施の形態に限定されない。たとえば、上記のインパクトレンチＡは、Ｏリング７ａおよびＯリング７ｂが設けられていたが、いずれか一方のＯリングのみの構成でも構わない。
また、上記のインパクトレンチＢ，Ｃでは、回転ハンマー支持体５ｂの軸受け孔５７ａには、Ｏリングが設けられていなかったが、インパクトレンチＡのようにＯリング等によって摩擦抵抗値を調整するようにしても構わない。
【００５４】
さらに、上記の実施の形態では、モータとしてエアモータ２が用いられているが、電動モータ（充電式のものを含む）、などの他のモータを用いることもできる。
また、上記のインパクトレンチＤでは、ハンマー本体側に皿もみ穴を設け、ハンマー受け部側に係止部材を設けているが、逆にしても構わない。
上記インパクトレンチＣ，Ｄに示した姿勢保持手段を、インパクトレンチＡのハンマーのような軸部とハンマー本体とが一体になったハンマーに設け、回転ハンマー支持体としては筒状本体部と蓋とを用いた構成としても構わない。
【図面の簡単な説明】
【００５５】
【図１】本発明にかかるインパクトレンチの第１の実施の形態をあらわす分解斜視図である。
【図２】図１のインパクトレンチの要部縦断面図である。
【図３】図１のインパクトレンチの要部横断面図である。
【図４】図１のインパクトレンチのハンマーの動きを説明する説明図である。
【図５】本発明にかかるインパクトレンチの第２の実施の形態をあらわし、その一部切欠き断面図である。
【図６】図５のインパクトレンチに用いられる回転ハンマー支持体をあらわす斜視図である。
【図７】本発明にかかるインパクトレンチの第３の実施の形態をあらわし、その要部断面図である。
【図８】本発明にかかるインパクトレンチの第４の実施の形態をあらわし、その要部断面図である。
【図９】図８のＸ方向矢視図である。
【図１０】従来のインパクトレンチの要部断面図である。
【図１１】従来のインパクトレンチの逆打ちを説明する説明図である。
【図１２】従来のインパクトレンチのすべり打ちを説明する説明図である。
【図１３】公知のインパクトレンチの要部断面図である。
【符号の説明】
【００５６】
Ａ，Ｂ，Ｃ，Ｄ  インパクトレンチ
２  エアモータ（モータ）
３  ドライバ
３１  カム溝形成部
３１ａ  カム溝
３２  軸受け部
４ａ，４ｂ，４ｃ，４ｄ  ハンマー
４１  軸部
４２，４３  打撃部
４４  カム溝遊嵌部
４０，４６，４６'  ハンマー本体
４７，４７'  軸ピン（軸部）
４０ａ  皿もみ穴（姿勢保持手段）
５ａ，５ｂ，５ｃ  回転ハンマー支持体
５１  筒状本体部
５４  軸受け孔
５７，５８，５８'  ハンマー受け部
５６ａ，５７ｂ，５８ｂ  軸支孔（軸支部）
５６ｂ  凹部（軸支部）
６  アンビル
６５，６６  受撃部
７ａ，７ｂ，７ｃ，７ｄ，７ｅ  Ｏリング
８  係止部材（姿勢保持手段）
８１  ノックスプリング
８２  スチールボール
【図１】
2005262396.tif 000003
【図２】
2005262396.tif 000004
【図３】
2005262396.tif 000005
【図４】
2005262396.tif 000006
【図５】
2005262396.tif 000007
【図６】
2005262396.tif 000008
【図７】
2005262396.tif 000009
【図８】
2005262396.tif 000010
【図９】
2005262396.tif 000011
【図１０】
2005262396.tif 000012
【図１１】
2005262396.tif 000013
【図１２】
2005262396.tif 000014
【図１３】
2005262396.tif 000015
【手続補正書】
【提出日】平成17年1月13日(2005.1.13)
【手続補正１】
【補正対象書類名】特許請求の範囲
【補正対象項目名】全文
【補正方法】変更
【補正の内容】
【特許請求の範囲】
【請求項１】
カム溝がその周面の一部に凹設された略円盤状をしたカム溝形成部と、カム溝形成部の一方の面から突設された軸受け部とを有し、軸受け部の中心周りに回転するドライバと、
同一軸線上にそれぞれ軸支部が設けられた対面する２つのハンマー受け部を有し、２つのハンマー受け部の間にカム溝形成部が配置されるとともに、一方のハンマー受け部にドライバの軸受け部が回転自在に装着される軸受け孔が設けられた回転ハンマー支持体と、
２つのハンマー受け部の軸支部にその両端部が支持される軸部、この軸部の中心軸を中心にして対称形状に張り出す２つの打撃部、および、前記カム溝に遊嵌され、ドライバのカム溝壁面によって設定回転方向の力を受け、正回転方向の打撃部を前記軸部を中心にして起き上がる方向に揺動させるカム溝遊嵌部を有するハンマーとを備え、
モータの回転に伴ってドライバが回転し、このドライバの回転に伴ってハンマーおよび回転ハンマー支持体が回転し、ハンマーの回転によって、正回転方向の打撃部がアンビルの周面に突出するように設けられた対応する受撃部を打撃するインパクトレンチにおいて、
前記軸受け部と、回転ハンマー支持体との摩擦抵抗値が、回転ハンマー支持体がドライバの回転に伴って供回りし、打撃による反発力が加わったときに、供回りが解除される摩擦抵抗値に調整されているとともに、
ハンマーの逆回転方向の打撃部に対応する受撃部が、定常使用状態での打撃後に、逆回転方向の打撃部が到達する最大リバウンド位置より逆回転方向側に位置するようにアンビルに形成されていることを特徴とするインパクトレンチ。
【請求項２】
カム溝がその周面の一部に凹設された略円盤状をしたカム溝形成部と、カム溝形成部の一方の面から突設された軸受け部とを有し、軸受け部の中心周りに回転するドライバと、
同一軸線上にそれぞれ軸支部が設けられた対面する２つのハンマー受け部を有し、２つのハンマー受け部の間にカム溝形成部が配置されるとともに、一方のハンマー受け部にドライバの軸受け部が回転自在に装着される軸受け孔が設けられた回転ハンマー支持体と、
２つのハンマー受け部の軸支部にその両端部が支持される軸部、この軸部の中心軸を中心にして対称形状に張り出す２つの打撃部、および、前記カム溝に遊嵌され、ドライバのカム溝壁面によって設定回転方向の力を受け、正回転方向の打撃部を前記軸部を中心にして起き上がる方向に揺動させるカム溝遊嵌部を有するハンマーとを備え、
モータの回転に伴ってドライバが回転し、このドライバの回転に伴ってハンマーおよび回転ハンマー支持体が回転し、ハンマーの回転によって、正回転方向の打撃部がアンビルの周面に突出するように設けられた対応する受撃部を打撃するインパクトレンチにおいて、
前記ハンマーの正回転方向の打撃部が一旦打撃姿勢になると、この打撃部が対応する受撃部を打撃するまで、打撃姿勢を保持するとともに、打撃により一旦保持が解除されて打撃部を非打撃姿勢状態に保持するハンマーの姿勢保持手段を有し、
ハンマーの逆回転方向の打撃部に対応する受撃部が、定常使用状態での打撃後に、逆回転方向の打撃部が到達する最大リバウンド位置より逆回転方向側に位置するようにアンビルに形成されていることを特徴とするインパクトレンチ。
【手続補正２】
【補正対象書類名】明細書
【補正対象項目名】０００５
【補正方法】変更
【補正の内容】
【０００５】
因みに、「逆打ち」は、図１１（ａ）に示すように、ハンマー１３０の打撃部１３２が受撃部１４１を打撃したのち、ハンマー１３０が図１１（ｂ）に示すように正回転方向とは逆方向にリバウンドするのであるが、図１１（ｃ）に示すように、アンビル１４０の逆回転方向の受撃部１４２がハンマー１３０のリバウンドによって容易に到達できるような近い位置に設けられているため、ハンマーの逆回転方向の打撃部１３３がアンビル１４０の逆回転方向の受撃部１４２を打撃してしまう現象をいう。そして、この「逆打ち」が発生すると、アンビル１４０に逆回転方向の力が働いてしまい、ボルトやナット等に対しても目的とする回転方向とは逆方向の力が働き、ボルトやナット等の着脱作業が阻害される。また、リバウンドが終了して再び正回転方向に回転し始めたハンマーは、打撃部１３２が起き上がり、受撃部１４１を打撃することなく、突出部１４４ａ，１４４ｂを乗り越えて加速しながらさらに回転する。そして、突出部１４４ｂを乗り越えるときに、逆回転方向の打撃部１３３が、突出部１４４ｂによって押し上げられ、この押し上げによって正回転方向の打撃部１３２が打撃姿勢となり、受撃部１４１を再び打撃するのであるが、「逆打ち」によってリバウンド距離が不十分となるため、結果として助走距離が不十分となる。したがって、十分な打撃力を与えることができない。
【手続補正３】
【補正対象書類名】明細書
【補正対象項目名】０００６
【補正方法】変更
【補正の内容】
【０００６】
「すべり打ち」は、図１２（ａ）に示すように、ハンマー１３０の回転速度の不足などの場合に生じやすい。つまり、ハンマー１３０の逆回転方向の打撃部１３３（１３２）がアンビル１４０の突出部１４４ｂ（１４４ａ）によってアンビルから遠ざかり、正回転方向の打撃部１３２（１３３）が打撃姿勢となったのち、打撃部１３２（１３３）が受撃部１４１（１４２）を打撃するまでに、カム溝遊嵌部１３４がドライバ１１０のカム溝１１１の内壁面に押されるため、打撃部１３２（１３３）がアンビル１４０から遠ざかる方向に起き上がり、ハンマー１３０の打撃部１３２（１３３）がアンビル１４０の受撃部１４１（１４２）のコーナー部を打撃する現象を「すべり打ち」という。この「すべり打ち」が生じると、アンビル１４０に対して十分な打撃力を伝えることができないとともに、ハンマー１３０の打撃部１３２（１３３）やアンビル１４０の受撃部１４１が早期に磨耗してしまう問題が生じる。また、この「すべり打ち」が生じると、図１２（ｂ）に示すように、ハンマー１３０がほとんどリバウンドせず、そのまま正回転方向に回転する。なお、「すべり打ち」は、リバウンドして正回転方向に移った直後に打撃するときと、１周した後に打撃するときのいずれにも発生する恐れがある。
「二度打ち」は、比較的大きなリバウンドが発生した後、正回転方向に移って、打撃部１３２（１３３）が打撃姿勢をとった後、受撃部１４１（１４２）のところに達するまでにあまり起き上がらず、十分に回転速度がない状態で直前に打撃した受撃部１４１（１４２）を乗り越えることができずに再び打撃する現象をいう。すなわち、「二度打ち」が発生すると、十分な打撃力が得られない。
【手続補正４】
【補正対象書類名】明細書
【補正対象項目名】００１２
【補正方法】変更
【補正の内容】
【００１２】
摩擦抵抗調整材としては、Ｏリング、一般ゴム部材、摩擦繊維基材としての金属繊維・耐熱有機繊維・カーボンファイバーやガラス繊維等の無機繊維をゴム・樹脂等の結合材に混合して得たモールド品、焼結金属系摩擦材料等が挙げられる。
また、ハンマーの姿勢保持手段は、特に限定されないが、たとえば、軸部一体型ハンマーにおいては、軸部とこの軸部を軸支する回転ハンマー支持体の軸支部との間に上記のような摩擦抵抗調整材を介在させる方法、軸部別体型ハンマーにおいては、軸ピンと軸ピン挿通孔及びハンマー受け部の軸支孔との間に上記のような摩擦抵抗調整材を介在させる方法、軸部一体型ハンマー、軸部別体型ハンマーに関わらず、ハンマー受け部と、ハンマーのハンマー受け部に対抗する面との間に摩擦抵抗調整材を介在させる方法、一方の打撃部が打撃姿勢になったとき、ハンマーまたはハンマー本体を係止し、打撃姿勢を保持し、ハンマーがアンビルの突出部を乗り越えるときに逆回転方向の打撃部が突出部によって押し上げられる場合および打撃によってリバウンドする場合に係止が解除される係止部材を設ける方法等を用いたものが挙げられる。
【手続補正５】
【補正対象書類名】明細書
【補正対象項目名】００３２
【補正方法】変更
【補正の内容】
【００３２】
一方、受撃部６５のところに達したハンマー４ａは、図４（ｄ）に示すように、突出部６４ａおよび突出部６４ｂを乗り越えて、加速しながら正回転方向に回転を続ける。この突出部６４ａおよび突出部６４ｂを乗り越えるときに、突出部６４ａおよび突出部６４ｂによって逆回転方向側の打撃部４３（４２）をアンビル６の中心から遠ざかるように持ち上げられ、軸部４１にＯリング７ａによる摩擦抵抗を越える力が加わり、ハンマー４ａが軸部４１を中心にして揺動する。すなわち、打撃部４２（４３）が打撃姿勢を取るまで揺動する。
そして、正回転方向側の打撃部４２（４３）が打撃姿勢となったハンマー４ａは、Ｏリング７ａの摩擦抵抗によってそのまま姿勢を保った状態で、図４（ａ）に示すように、再び受撃部６５（６６）のところまで回転し、確実に受撃部６５（６６）を打撃する。したがって、「すべり打ち」が発生することがない。
【手続補正６】
【補正対象書類名】明細書
【補正対象項目名】００３３
【補正方法】変更
【補正の内容】
【００３３】
また、Ｏリング７ｂは、次に述べるような作用がある。すなわち、逆回転方向側の打撃部４３（４２）が突出部６４ａおよび突出部６４ｂによって持ち上げられて正回転方向側の打撃部４２（４３）が、図４（ｄ）に示すように打撃姿勢となるときには、ハンマー４ａのカム溝遊嵌部４４は、カム溝３１ａの壁面に対してドライバ３を逆回転方向に押し返すような力を加える。その力によってＯリング７ｂの摩擦抵抗に打ち勝ち、供回りが解除され、ドライバ３は回転ハンマー支持体５ａに対して遅れ位相角度αまで回転する。そして、Ｏリング７ｂの摩擦抵抗力によってドライバ３は、図４（ａ）に示すように、打撃部４２（４３）が受撃部６５（６６）を打撃するまで遅れ位相角度αになった状態に維持される。なお、図４（ｄ）の状態において、この実施形態のインパクトレンチＡでは、正回転方向側の打撃部４２（４３）がアンビル６の胴本体６１ａに略当接した状態になっているが、少し浮き上がった非接触状態になっていても構わない。
ここで図４（ｄ）について説明すると、ハンマー４ａの正回転方向側の打撃部４２（４３）が打撃姿勢になった後は、前述したようにドライバ３が遅れ位相角度αになっているので、カム溝遊嵌部４４に対してカム溝３１ａの壁面が押し力を加えることができず、より確実にその打撃姿勢を保った状態で起き上がることなく、受撃部６５（６６）のところまで回転し、受撃部６５（６６）を打撃する。したがって、「すべり打ち」が発生することがない。
【手続補正７】
【補正対象書類名】明細書
【補正対象項目名】００３４
【補正方法】変更
【補正の内容】
【００３４】
また、Ｏリング７ｂによって、回転ハンマー支持体５ａがドライバ３の回転に伴って供回りし、打撃による反発力が加わったときに、供回りが解除される摩擦抵抗値に調整されている。そのため、図４（ｂ）に示すように、打撃後においては、ハンマー４ａが反発力によって逆方向に回転すると同時に回転ハンマー支持体５ａは、ハンマー４ａの軸部４１を軸支しているので、ハンマー４ａから回転ハンマー支持体５ａに反発力が伝わりリバウンドする。
回転ハンマー支持体５ａは、Ｏリング７ｂの摩擦抵抗に打ち勝って供回りが解除されドライバ３に対して相対的に逆方向に回転する（位相が遅れる）。つまり、ドライバ３は回転ハンマー支持体５ａに対して進み位相角度βまで回転し、カム溝３１ａの壁面がハンマー４ａのカム溝遊嵌部４４を押すことでハンマー４ａは起き上がる。すなわち、ドライバ３が回転ハンマー支持体５ａに対して進み位相角度βになったときには、カム溝３１ａの壁面がカム溝遊嵌部４４を押すことになり、ハンマー４ａを起き上がらせる。そして、ハンマー４ａの正回転方向の打撃部４２は起き上がった状態を維持されるので、正回転方向に回転し始めても、「二度打ち」や「すべり打ち」を確実に防止できる。なお、この実施形態では、ドライバ３が回転ハンマー支持体に対して進み位相角度βになったとき、ハンマー４ａの逆回転方向の打撃部４３（４２）は、アンビル６の胴本体６１ａに略当接状態となるが、少し浮き上がった非接触状態となっても構わない。
【手続補正８】
【補正対象書類名】明細書
【補正対象項目名】００４０
【補正方法】変更
【補正の内容】
【００４０】
すなわち、Ｏリング７ｃは、その摩擦抵抗によって、軸ピン４７の軸を中心にした回転を防止できる摩擦抵抗値に調整されている。
また、Ｏリング７ｄは、リバウンドするときに打撃の反発力と、ドライバ３のカム溝３１ａの壁面がカム溝遊嵌部４４を正回転方向に押す力との複合力がハンマー４ｂに加わる場合、および、ハンマー４ｂが突出部６４ａ，６４ｂを乗り越えるときに、逆回転方向の打撃部４３（４２）が突出部６４ａ，６４ｂによってアンビル６の中心から遠ざかるように持ち上げられたりするような力が加わる場合以外は、ハンマー本体４６が軸ピン４７回りに揺動しないような摩擦抵抗値に調整されている。
【手続補正９】
【補正対象書類名】明細書
【補正対象項目名】００４６
【補正方法】変更
【補正の内容】
【００４６】
すなわち、このインパクトレンチＣは、Ｏリング７ｅがハンマー受け部５７，５８の軸支孔５７ｂ，５８ｂ周りの壁面に圧接され、Ｏリング７ｅの摩擦抵抗によって、リバウンドするときに打撃の反発力と、ドライバ３のカム溝３１ａの壁面がカム溝遊嵌部４４を正回転方向に押す力との複合力がハンマー４ｃに加わる場合、および、ハンマー４ｃが突出部６４ａ，６４ｂを乗り越えるときに、逆回転方向の打撃部４３（４２）が突出部６４ａ，６４ｂによってアンビル６の中心から遠ざかるように持ち上げられたりするような力が加わる場合以外は、ハンマー本体４６'が軸ピン４７'回りに揺動しないようになっている。
したがって、上記インパクトレンチＢと同様に、リバウンド後に正回転方向の打撃部４２（４３）が非打撃姿勢になると、Ｏリング７ｅの摩擦抵抗によって打撃部４２（４３）が非打撃姿勢の状態に保たれ、ハンマー４ｃが突出部６４ａ，６４ｂを乗り越えると、正回転方向の打撃部４２（４３）が打撃姿勢となりＯリング７ｅの摩擦抵抗によってその打撃姿勢が保たれるようになっている。